(57)【要約】【課題】  使い勝手が良く、筆毛先端も傷まない化粧筆付き化粧料容器を提供する。【解決手段】  化粧料２を収容する容器本体３に第１キャップ１４を外嵌合して化粧料２を外部に露出しないように覆う。第１キャップ１４の反取付側外面である嵌合段部１６上面に化粧筆１８を突設する。第１キャップ１４の嵌合段部１６に第２キャップ２１を外嵌合して化粧筆１８を外部に露出しないように覆う。【選択図】  図１
2005027995.tif 000002
【特許請求の範囲】
【請求項１】
化粧料を収容する筒状の容器本体と、
この容器本体に着脱自在に取り付けられて上記化粧料を外部に露出しないように覆う筒状の第１キャップと、
この第１キャップの反取付側外面に突設された化粧筆と、
上記第１キャップの反取付側に着脱自在に取り付けられて上記化粧筆を外部に露出しないように覆う第２キャップとを備えたことを特徴とする化粧筆付き化粧料容器。
【発明の詳細な説明】
【技術分野】
【０００１】
この発明は、化粧筆と化粧料容器とがワンセットに一体化した化粧筆付き化粧料容器に関するものである。
【背景技術】
【０００２】
一般に、リップスティック等の化粧料容器と化粧筆とは別々に用意されている。このように化粧料容器と化粧筆とが別々に用意されていると使い勝手が悪いので、両者をワンセットに一体化したものが開発されている（例えば、特許文献１参照）。この特許文献１では、化粧筆を容器本体から突出するようにスプリングで付勢した状態で容器本体に収容し、化粧料を収容するキャップを上記容器本体に外嵌合して上記化粧筆の筆毛先端を化粧料にスプリングのばね力で圧接させ、使用時に一々化粧筆の筆毛に化粧料を付着させる手間を省いてキャップを外すだけで直ぐに化粧できるようにしている。
【特許文献１】特開２００２−３４５５５０号公報（第３頁、図１）
【発明の開示】
【発明が解決しようとする課題】
【０００３】
しかし、上記の特許文献１では、キャップを容器本体に外嵌合した状態で化粧筆の筆毛先端が化粧料に圧接しているため、筆毛先端は折れ曲がった状態になってキャップ内に収められることになり、使用時にキャップを外しても筆毛先端は元に戻らず折れ曲がった状態なので、その都度真っ直ぐに直す必要があって使用し辛く、また筆毛先端が傷む。さらに、筆毛先端に化粧料が付着しているとはいっても、化粧料の使用量は目的や用途、さらには使用者の好み等によって異なるため、使用者が付着量の過不足を判断して使用量を調整しなければならず、手間が掛かって必ずしも便利とは言えない。
【０００４】
この発明はかかる点に鑑みてなされたものであり、その目的とするところは、使い勝手が良く、筆毛先端も傷まない化粧筆付き化粧料容器を提供することである。
【課題を解決するための手段】
【０００５】
上記の目的を達成するため、この発明は、化粧料を収容する容器本体のキャップの外側に化粧筆を取り付けたことを特徴とし、具体的には、次のような解決手段を講じた。
【０００６】
すなわち、この発明は、化粧料を収容する筒状の容器本体と、この容器本体に着脱自在に取り付けられて上記化粧料を外部に露出しないように覆う筒状の第１キャップと、この第１キャップの反取付側外面に突設された化粧筆と、上記第１キャップの反取付側に着脱自在に取り付けられて上記化粧筆を外部に露出しないように覆う第２キャップとを備えたことを特徴とする。
【０００７】
上記の構成により、請求項１に記載の発明では、不使用時、化粧料は第１キャップ内に、化粧筆は別のキャップである第２キャップ内にそれぞれ別々に収められているため、化粧筆の筆毛先端が化粧料に圧接して折れ曲がる自体が回避され、筆毛は真っ直ぐになっていて使用時に筆毛先端の折れ曲がりを直す必要がなくて使い易く、また筆先も傷まない。一方、使用時には、第２キャップを第１キャップから外して化粧筆を外部に露出させる。また、上記第１キャップを容器本体から外して化粧料を外部に露出させる。そして、上記化粧筆の筆毛先端に化粧料を目的や用途、さらには使用者の好み等に応じて適量だけ付着して化粧すればよく、使用時に化粧料の付着量の過不足を判断して使用量を改めて調整し直す手間がいらず、使い勝手が良い。
【発明の効果】
【０００８】
この発明によれば、化粧料を収容する容器本体に取り付けられる第１キャップの反取付側外面に化粧筆を突設し、上記第１キャップに第２キャップを取り付けて上記化粧筆を第２キャップで覆ったので、不使用時に化粧筆の筆毛先端が化粧料に圧接することによる折れ曲がりをなくすことができて使い易くすることができるとともに、筆毛先端の損傷を防止することができる。さらに、使用時には第１及び第２キャップを外して化粧料を目的や用途、さらには使用者の好み等に応じて適量だけ化粧筆の筆毛先端に付着して化粧すればよいので、化粧料の使用量を調整し直す必要がなく、使い勝手を良くすることができる。
【発明を実施するための最良の形態】
【０００９】
以下、この発明の実施の形態について図面に基づいて説明する。
【００１０】
図１はこの発明の実施の形態に係る化粧筆付き化粧料容器１を示し、この化粧筆付き化粧料容器１は、棒口紅等の固形状化粧料２を収容する円筒状の容器本体３を備えている。
【００１１】
上記容器本体３は、図２に示すように、上記化粧料２の基端が嵌着される円筒状の内側筒体４と、この内側筒体４が中心線方向及び周方向に移動可能に内嵌合される円筒状の中間筒体５と、この中間筒体５に周方向に移動可能に外嵌合される円筒状の外側筒体６とで構成されている。上記内側筒体４外周面の１８０°反対側には、係合突起７が１つずつ突設されている。上記中間筒体５は、上記内側筒体４が内嵌合される中間筒部８と、この中間筒部８下端に一体に形成され後述する第１キャップ１４が外嵌合する嵌合段部９と、この嵌合段部９下端に一体に形成された回動操作部１０とで構成されている。上記中間筒部８の１８０°反対側にはスリット１１が１つずつ形成され、これらスリット１１は、上記内側筒体４の係合突起７が係合して摺動する上下方向に延びる摺動部１１ａと、この摺動部１１ａの上下両端から互いに逆向きに直角に延びるストッパ部１１ｂとで構成されている。また、上記嵌合段部９外周面には、３つ（図１及び図２にそれぞれ２つ現れる）の係止突起１２が円周を三等分するように突設されている。上記外側筒体６内周面には、上記内側筒体４の２つの係合突起７がそれぞれ摺動可能に係合する２条の螺旋溝１３が形成されている。
【００１２】
このように構成された容器本体３では、外側筒体６を一方の手の指で把持して中間筒体５の回動操作部１０を他方の手の指で回動させると、係合突起７が螺旋溝１３を摺動する。この際、係合突起７は中間筒体５（中間筒部８）のスリット１１の摺動部１１ａに係合しているため、内側筒体４が周方向に回動しながら上下動し、化粧料２が容器本体３から出没することになる。係合突起７が上下のストッパ部１１ｂに係止すると、内側筒体４はそれ以降回動せず、化粧料２が上昇端位置又は下降端位置で停止する。
【００１３】
上記外側筒体６及び中間筒体５の嵌合段部９には、下端が開口する底有円筒状の第１キャップ１４が着脱自在に取り付けられて上記化粧料２を外部に露出しないように覆うようになっている。この第１キャップ１４下端の開口端内周面には、上記係止突起１２が係止する周溝１５が形成され、第１キャップ１４を中間筒体５の嵌合段部９に押し込んで外嵌合させて係止突起１２を周溝１５に係止させることにより、第１キャップ１４を引っ張らない限りは容器本体３から離脱しないようにしている。上記第１キャップ１４上面には嵌合段部１６が突設され、この嵌合段部１６外周面には、３つ（図１に２つ現れる）の係止突起１７が円周を三等分するように突設されている。この発明の特徴として、上記第１キャップ１４の反取付側外面である嵌合段部１６上面には、化粧筆１８が一体に突設されている。この化粧筆１８は、取付金具１９先端（上端）に筆毛２０を束ねて接着剤で固着してなり、取付金具１９の基端（下端）を上記嵌合段部１６上面に一体に固定されている。
【００１４】
上記第１キャップ１４の嵌合段部１６には、下端が開口する底有円筒状の第２キャップ２１が着脱自在に取り付けられて上記化粧筆１８を外部に露出しないように覆うようになっている。この第２キャップ２１下端の開口端内周面にも、上記嵌合段部１６の係止突起１７が係止する周溝２２が形成され、第２キャップ２１を第１キャップ１４の嵌合段部１６に押し込んで外嵌合させて係止突起１７を周溝２２に係止させることにより、第２キャップ２１を引っ張らない限りは第１キャップ１４から離脱しないようにしている。
【００１５】
このように、この実施の形態の化粧筆付き化粧料容器１では、化粧料２を収容する容器本体３の第１キャップ１４の反取付側外面である嵌合段部１６上面に化粧筆１８を突設し、上記第１キャップ１４に第２キャップ２１を外嵌合して上記化粧筆１８を外部に露出しないように覆い、化粧筆と化粧料容器とをワンセットに一体化している。したがって、不使用時、化粧料２を第１キャップ１４内に収めるとともに、化粧筆１８を第２キャップ２１内に収めているので、化粧筆１８の筆毛先端を化粧料２に圧接させずに真っ直ぐに保って筆毛先端の折れ曲がりを直す手間を省いて使い易くすることができるとともに、筆毛先端を傷まないように保護することができる。一方、使用時には、第２キャップ２１を第１キャップ１４から外して化粧筆１８を外部に露出させるとともに、上記第１キャップ１４を容器本体３から外して化粧料２を外部に露出させ、上記化粧筆１８の筆毛先端に化粧料２を目的や用途、さらには使用者の好み等に応じて適量だけ付着して化粧すればよく、使用時に化粧料２の付着量の過不足を判断して使用量を改めて調整し直す手間を省いて使い勝手を良くすることができる。
【産業上の利用可能性】
【００１６】
この発明は、化粧筆と化粧料容器とがワンセットに一体化して持運び易く、取扱いに便利な化粧料容器に適している。
【図面の簡単な説明】
【００１７】
【図１】化粧筆付き化粧料容器の分解斜視図である。
【図２】容器本体の分解斜視図である。
【符号の説明】
【００１８】
１    化粧筆付き化粧料容器
２    化粧料
３    容器本体
１４  第１キャップ
１６  嵌合段部（反取付側）
１８  化粧筆
２１  第２キャップ
【図１】
2005027995.tif 000003
【図２】
2005027995.tif 000004